(57)【要約】【課題】本発明は、分割型コネクタに関し、細径の配管に通線できるようにすることが課題である。【解決手段】ケーブル付きプラグコネクタ３と、該プラグコネクタの側部に設けられる固定手段５で相手方に係合して連結・固定させる取付固定キット４とからなるコネクタであり、前記プラグコネクタ３は、前記取付固定キット４の躯体４ａの内側に設けられたプラグ用嵌合部４ｂに着脱自在に嵌合されるようにして、前記取付固定キット４と分割されている分割型コネクタ１とする。【選択図】図１
2006119522.tif 000002
【特許請求の範囲】
【請求項１】
ケーブル付きプラグコネクタと、該プラグコネクタの側部に設けられる固定手段で相手方に係合して連結・固定させる取付固定キットとからなるコネクタであり、
前記プラグコネクタは、前記取付固定キットの躯体の内側に設けられたプラグ用嵌合部に着脱自在に嵌合されるようにして、前記取付固定キットと分割されていること、
を特徴とする分割型コネクタ。
【請求項２】
取付固定キットのプラグ用嵌合部には、嵌合されるプラグコネクタの位置決めをするガイド手段と、嵌合・固定するロック手段とが設けられていること、
を特徴とする請求項１に記載の分割型コネクタ。
【請求項３】
プラグコネクタの光ファイバ端部を配管の通線時に保護する、保護キャップが設けられていること、
を特徴とする請求項１または２に記載の分割型コネクタ。
【発明の詳細な説明】
【技術分野】
【０００１】
本発明は、例えば、光コネクタにおける分割型コネクタに関するものである。
【背景技術】
【０００２】
従来、例えば、光コネクタを配管（例えば、合成樹脂製の可撓性電線管であるＣＤ管等）に通線させるには、予め光ファイバを保護してなるケーブルに光コネクタを接続させ組み立てた状態で、当該光コネクタの先端の方から配管に差し込んでいる。そして、配管に通線された光コネクタは、相手方との接続を確実にするため、コネクタハウジングの側方に設けた接続固定用の固定ネジによってしかりと固定されるものが知られている（特許文献１参照）。
【特許文献１】特開２００２−１０７５７７号公報
【発明の開示】
【発明が解決しようとする課題】
【０００３】
しかし、従来の上記コネクタでは、前記固定ネジをコネクタハウジングに設けているため、その幅が大きくなるのは避けられない。よって、これを前記ＣＤ管等の配管に挿通させようとすると、当該配管の径が大きくなってしまう。前記配管の径が大きくなると、材料費及び部品管理・運搬などにおいて、コストが大幅に嵩むことになり、また、建物等に大きな径の挿通孔を穿設する必要が生じてしまい不都合である。本発明に係る分割型コネクタは、このような課題を解決するために提案されたものである。
【課題を解決するための手段】
【０００４】
本発明に係る分割型コネクタの上記課題を解決して目的を達成するための要旨は、ケーブル付きプラグコネクタと、該プラグコネクタの側部に設けられる固定手段で相手方に係合して連結・固定させる取付固定キットとからなるコネクタであり、前記プラグコネクタは、前記取付固定キットの躯体の内側に設けられたプラグ用嵌合部に着脱自在に嵌合されるようにして、前記取付固定キットと分割されていること、である。
【０００５】
また、前記取付固定キットのプラグ用嵌合部には、嵌合されるプラグコネクタの位置決めをするガイド手段と、嵌合・固定するロック手段とが設けられていること、；
前記プラグコネクタの光ファイバ端部を配管の通線時に保護する、保護キャップが設けられていること、；
を含むものである。
【発明の効果】
【０００６】
本発明の分割型コネクタによれば、配管に通線させる場合に、取付固定キットからケーブル付きプラグコネクタだけを分解して取り外し、当該プラグコネクタから前記配管に挿通させる。そして、前記プラグコネクタが前記配管に挿通されて一端側から出たところで、前記取付固定キットを合体させる。合体された分割型コネクタを相手方のコネクタに接続させるものである。これにより、配管に通線させるのは、プラグコネクタだけでよいので、配管の径を小さいものにすることができる。よって、細径の配管が使用できるようになり、配管材料費のコストが低減されるばかりでなく、配管を通す壁等の貫通孔も小さくすることができて、孔開け工事も容易となる。更に、配管の運搬においても、細径の配管となるので嵩張ることがない。
【発明を実施するための最良の形態】
【０００７】
本発明に係る分割型コネクタ１は、図１に示すように、ケーブル２付きプラグコネクタ３と、該プラグコネクタ３の側部に設けられる固定手段で相手方に係合して連結・固定させる取付固定キット４とからなるコネクタである。
【０００８】
前記プラグコネクタ３は、例えば、光通信用の光ファイバを４本、４芯フェルール３ａに固定してケーブル２を接続しているものである。図２に示すように、合成樹脂製のプラグコネクタ３の内部に、４芯フェルール３ａが軸芯方向に若干前後できるようにされており、バネ部材３ｂによって、前方向に付勢されている。光ファイバの端面の接続を確実に維持するためのものである。
【０００９】
前記プラグコネクタ３の前から見た幅は、横幅が約１６ｍｍで、厚みが約９ｍｍ程度である。また、前記バネ部材３ｂは、図３に示すように、例えば、ステンレス製の板バネである。光ファイバの接続の際の当接により押し戻された分をこのバネ部材の付勢力によって押し返して、当接面の維持を図るものである。
【００１０】
前記取付固定キット４は、図４に示すように、キット本体４ａと固定ネジ５とからなる。前記合成樹脂製のキット本体４ａには、図５に示すように、その中央部にプラグ用嵌合部４ｂが設けられている。これは、前記プラグコネクタ３をこの凹部に嵌合させるものであり、嵌合時の際のガイド手段となるガイドポール４ｃと、嵌合後の抜け防止用のロック手段となる弾性係止片４ｄが設けられている。また、後部には、ケーブル２の挿通させるＵ字状の挿通部４ｅが形成されている。
【００１１】
更に、キット本体４ａの両側部には、固定手段として、前後方向に貫通孔４ｈが設けられているネジ挿通部４ｆ，４ｇがあって、そこに、固定用の固定ネジ５が備えられている。この固定ネジ５の先端部５ａが相手方のコネクタの雌ネジ部に裸合するものであり、後部にはローレット状の掴み部５ｂが設けられている。前記ネジ挿通部４ｆの貫通孔４ｈにはネジ溝が刻設されていて、先端部５ａがネジ嵌合して挿通した後に、この固定ネジ５が後方に抜けないようにするものである。なお、この固定手段は一例であって、他の固定方法、例えば、弾性爪により、相手方の係止部と係止する様な構造でも良い。要は、この固定手段があることで、前記プラグコネクタ３と合体して、全体のコネクタとしての横幅が大きくなってしまうことである。
【００１２】
次に、図６に示すように、前記プラグコネクタ３の先端部には、配管に通線させるときに、４芯フェルール３ａの光ファイバ端面の汚れを防ぐために、保護キャップ６が被せられる。このキャップ６は、合成樹脂製であり、先端側に係止用の孔６ａが穿設されている。これは、通線の作業の際に、この孔６ａに紐などを通して先方側から引っ張るものである。光ファイバとプラグコネクタ３とは、予め工場で接続させておくものであり、現場では光ファイバとプラグコネクタとの接続・切断等の加工ができないものであるので、このような保護キャップ６が必要となる。
【００１３】
このようにして、前記プラグコネクタ３は、前記取付固定キット４の躯体の内側に設けられたプラグ用嵌合部４ｂに着脱自在に嵌合されるようにして、前記取付固定キット４と分割されている。
【００１４】
次に、本発明の分割コネクタ１の使用方法を説明すると、図７に示すように、コネクタを挿通させる配管、例えば、細径のＣＤ管７に、ケーブル２付きプラグコネクタ３に保護キャップ６を被せて、これを孔６ａに通した紐等のパイロットワイヤで先方側から引っ張る。
【００１５】
前記ＣＤ管７の端部から出てきたプラグコネクタ３に、取付固定キット４を嵌合させて合体させる。そして、前記保護キャップ６を撤去して、この分割型コネクタ１を、固定ネジ５でもって他のコネクタに接続させるものである。
【００１６】
こうして、図８に示すように、プラグコネクタ３の横幅が約１６ｍｍなので、ＣＤ管７は約φ２２ｍｍの大きさで済む。仮に、分割型コネクタ１のままでＣＤ管に通線させると、取付固定キット４の横幅が約２８ｍｍなので、通線作業に支障ないような内径にするには、約φ３６ｍｍのＣＤ管７ａが必要となり、ＣＤ管７ｂの内径φ２８ｍｍでは通線させることができない。
【００１７】
このように、分割型のコネクタとすることで、配管７の径を、通常ではφ３６ｍｍであるものを、φ２２ｍｍと著しく小さくする（約４割減）ことができて、コスト低減を図ることができる。
【産業上の利用可能性】
【００１８】
本発明に係る分割型コネクタ１は、光コネクタの場合で説明したが、他の電気的なコネクタでもよい。また、電線等のケーブルとプラグコネクタとを予め工場にて接続させておく必要があるものに適用される。
【図面の簡単な説明】
【００１９】
【図１】本発明に係る分割型コネクタ１の平面図（Ａ）と、正面図（Ｂ）と、側面図（Ｃ）とである。
【図２】同本発明の分割型コネクタ１におけるプラグコネクタ３の平面図（Ａ）と、断面図（Ｂ）とである。
【図３】同分割型コネクタ１におけるバネ部材３ｂの平面図（Ａ）、側面図（Ｂ），（Ｃ）、正面図（Ｄ）である。
【図４】同分割型コネクタ１における取付固定キット４の平面図（Ａ）、正面図（Ｂ）、側面図（Ｃ）である。
【図５】同取付固定キット４のキット本体４ａの平面図（Ａ）、側面図（Ｂ），（Ｃ）、正面図（Ｄ）である。
【図６】同分割型コネクタ１における保護キャップ６を、判断面にしてその使用状態示す平面図である。
【図７】同分割型コネクタ１の使用状態を示す説明図である。
【図８】同分割型コネクタ１によって、配管７が細径で済むことを示す説明図である。
【符号の説明】
【００２０】
１          分割型コネクタ、
２          ケーブル、
３          プラグコネクタ、            ３ａ      フェルール、
３ｂ        バネ部材、
４          取付固定キット、            ４ａ      キット本体、
４ｂ        プラグ用嵌合部、            ４ｃ      ガイドポール、
４ｄ        弾性係止片、                ４ｅ      挿通部、
４ｆ，４ｇ  ネジ挿通部、                ４ｈ      貫通孔、  
５          固定ネジ、                  ５ａ      先端部、
５ｂ        掴み部、
６          保護キャップ、              ６ａ      孔、
７，７ａ，７ｂ           配管（ＣＤ管）。
【図１】
2006119522.tif 000003
【図２】
2006119522.tif 000004
【図３】
2006119522.tif 000005
【図４】
2006119522.tif 000006
【図５】
2006119522.tif 000007
【図６】
2006119522.tif 000008
【図７】
2006119522.tif 000009
【図８】
2006119522.tif 000010